(57)【要約】【課題】凍結防止用ヒータのランニングコストを低減することを目的とする。【解決手段】本実施例の給湯装置１によれば、外壁２０を貫通した壁貫通配管部８の先端を給湯器本体２の本体ケース９の背面に開口された挿入孔１６から導入して本体ケース９内で給湯器２の水管部分４と接続する構成としたため、従来のように器具側凍結防止用ヒータと配管側凍結防止用ヒータとを別個に設けて器具側と配管側とを別々に加熱する必要がなくなり、凍結防止用ヒータ２９の容量及びランニングコストを低減できる。  また、壁貫通配管部８を本体ケース９内で水管部分４と接続することによって、水管部分４を覆って防寒する従来のような屋外配管や配管防寒室が不要となるため、その部分を保温するために使われていた凍結防止用ヒータの消費電力をなくすことができ、ランニングコストを低減できる。【選択図】図２
2005257096.tif 000002
【特許請求の範囲】
【請求項１】
外壁に器具本体ケースの背面を向かい合わせて設置し、器具本体ケース内の水管と外部配管とを接続する屋外設置式の給湯装置において、
上記器具本体ケースの背面に外部配管の接続用開口を形成し、器具本体ケース背面側で外壁を貫通した外部配管の先端を該開口から器具本体ケース内に導入して器具本体ケース内の水管と接続したことを特徴とする給湯装置。
【請求項２】
上記器具本体ケースを断熱ケーシング内に配設したことを特徴とする請求項１記載の給湯装置。
【請求項３】
上記器具本体ケースの背面と外壁との間に断熱材を設けたことを特徴とする請求項１記載の給湯装置。
【発明の詳細な説明】
【技術分野】
【０００１】
本発明は、寒冷地向けの給湯装置に関する。
【背景技術】
【０００２】
従来、給湯器を比較的寒い地域において屋外設置する場合、図１０〜図１２に示すような給湯装置が用いられている（例えば、特許文献１参照）。
この給湯装置４０１では、給湯器本体４０２を覆って防寒する給湯器防寒室４３２を上部に有し、その下部には給湯器本体４０２内部の水管部分４０４に接続される屋外配管４３７を覆って防寒する配管防寒室４３３を連続的に一体形成し、各防寒室４３２、４３３の内壁に保温材４１７を貼設した箱状の防寒ケーシング４０３で給湯器本体４０２と屋外配管４３７とを覆ってこれらを断熱防寒する構成である。そして、給湯器本体４０２側に備えられた器具側凍結防止用ヒータ４３４と屋外配管４３７に備えられた配管側凍結防止用ヒータ４３５とで保温して凍結を防止している。
また、屋外配管４３７と屋内の給湯・給水配管７とは、外壁２０を貫通する壁貫通配管部４０８によって接続される。
尚、図１０は、給湯器防寒室４３２を覆うフロントカバー４１９と配管防寒室４３３を覆う開閉扉４３６とをはずした状態の図である。
【特許文献１】特開平１０−７３３２６号公報
【発明の開示】
【発明が解決しようとする課題】
【０００３】
しかしながら、上述したような給湯装置４０１では、屋外配管４３７を覆って防寒する配管防寒室４３３が大きく、その部分での放熱量が多いため、凍結防止用ヒータ４３４、４３５の容量及びランニングコスト（消費電力）が大きくなってしまうといった問題があった。
本発明の給湯装置は上記課題を解決し、凍結防止用ヒータのランニングコストを低減することを目的とする。
【課題を解決するための手段】
【０００４】
上記課題を解決する本発明の請求項１記載の給湯装置は、
外壁に器具本体ケースの背面を向かい合わせて設置し、器具本体ケース内の水管と外部配管とを接続する屋外設置式の給湯装置において、
上記器具本体ケースの背面に外部配管の接続用開口を形成し、器具本体ケース背面側で外壁を貫通した外部配管の先端を該開口から器具本体ケース内に導入して器具本体ケース内の水管と接続したことを要旨とする。
【０００５】
また、本発明の請求項２記載の給湯装置は、上記請求項１記載の給湯装置において、
上記器具本体ケースを断熱ケーシング内に配設したことを要旨とする。
【０００６】
また、本発明の請求項３記載の給湯装置は、上記請求項１記載の給湯装置において、
上記器具本体ケースの背面と外壁との間に断熱材を設けたことを要旨とする。
【発明の効果】
【０００７】
上記構成を有する本発明の請求項１記載の給湯装置は、外壁を貫通した外部配管を本体ケース背面から導入して給湯器本体内部の水管と接続するようにしたため、外部配管が屋外に露出しなくなり配管側凍結防止用ヒータを設けて加熱する必要がなくなり、凍結防止用ヒータの容量及びランニングコストを低減できる。
また、屋外配管部分及びその防寒室が不要となり、装置全体として小型化がはかれるため、製造コストが低減され、しかも設置作業が容易化されて施工性が向上する。
【０００８】
また、本発明の請求項２記載の給湯装置は、器具自身が断熱ケーシングによって覆われて外気と遮断されるため、保温性が向上し、より一層凍結防止用ヒータの容量及びランニングコストを低減できる。
【０００９】
また、本発明の請求項３記載の給湯装置は、断熱材によって給湯器本体から外壁への放熱が遮られるため、保温性が向上し、より一層凍結防止用ヒータの容量及びランニングコストを低減できる。
【発明を実施するための最良の形態】
【００１０】
以上説明した本発明の構成・作用を一層明らかにするために、以下本発明の給湯装置の好適な実施例について説明する。
【実施例１】
【００１１】
本発明の実施例１としての給湯装置１は、図１〜図３に示すように、給湯器本体２と、給湯器本体２の前面以外の外周を覆う断熱ケーシング３とからなる。給湯器本体２の器具内の水管部分４（給水管５や給湯管６や水抜本体２８）と屋内の給湯・給水配管７とは、壁貫通配管部８によって接続される。尚、屋内の給湯・給水配管７と壁貫通配管部８とをあわせたものが本発明の外部配管に相当する。
【００１２】
給湯器本体２は、本体ケース９（本発明の器具本体ケースに相当する）内に燃焼室１０が設けられ、その下方にＤＣモータと連結した給気ファン１１が取り付けられる。
燃焼室１０内には、燃料ガスと給気ファン１１からの一次空気との混合ガスを燃焼するバーナ１２と、バーナ１２の燃焼熱により通水を加熱する熱交換器１３とが設けられる。燃焼室１０の上部には、熱交換器１３で熱交換後の燃焼排気を器体外へ排出する排気口１４が形成される。また、バーナ１２には、燃料ガスが供給されるガス管３８が接続される。
器具本体内に設けられる通水管は、上流から順に、冷水の入口となる給水管５と、熱交換器１３内に設けられる伝熱管１５と、湯の出口となる給湯管６とからなる。
また、本体ケース９の背面には、壁貫通配管部８が挿通される挿通孔１６が開口される。
【００１３】
断熱ケーシング３は、前面が開口した直方体形に形成されており、その内壁には保温材１７が貼設されている。そして、この中に給湯器本体２が本体ケース９と断熱ケーシング３との間に所定の間隔をあけて配設され、前面開口１８は給湯器本体２のフロントカバー１９で閉成される。また、フロントカバー１９の内側にも保温材１７が貼設される。断熱ケーシング３の背面の本体ケース９に開口された挿通孔１６と向かい合う位置には、挿通孔１６と同じ大きさの挿通穴３９が開口される。
また、断熱ケーシング３の背面上端中央には、断熱ケーシング３を建物の外壁２０に取り付け設置するための取付板２１が備えられる。
【００１４】
壁貫通配管部８は、給水配管２２と給湯配管２３とが保温材２４で包まれて固定された筒状ユニットとして形成される。この壁貫通配管部８を建物の外壁２０を貫通させ、壁貫通配管部８の先端を断熱ケーシング３の背面に開口された挿通穴３９、給湯器本体２の背面に開口された挿通孔１６に挿通させる。そして、この先端を給湯器本体２の水管部分４にクイックファスナー２５で接続固定する。また、壁貫通配管部８と挿通孔１６との間の隙間は、シール用アダプター２６によって密閉される。
水管部分４は、給水管５と給湯管６とを同時に開放する水抜本体２８を備え、水抜本体２８は操作部となる水抜栓２７により開放される図示しない弁体を備える。水抜栓２７は、本体ケース９の外側に飛び出して設けられる。
また、水管部分４には、凍結防止用ヒータ２９が設けられ、給水管５や給湯管６の凍結を防止する。
【００１５】
上述した給湯装置１によれば、外壁２０を貫通した壁貫通配管部８の先端を給湯器本体２の本体ケース９の背面に開口された挿入孔１６から導入して本体ケース９内で給湯器２の水管部分４と接続する構成としたため、従来のように器具側凍結防止用ヒータと配管側凍結防止用ヒータとを別個に設けて器具側と配管側とを別々に加熱する必要がなくなり、凍結防止用ヒータ２９の容量及びランニングコストを低減できる。
また、壁貫通配管部８を本体ケース９内で水管部分４と接続することによって、従来のような屋外配管や配管防寒室が不要となるため、その部分を保温するために使われていた凍結防止用ヒータの消費電力をなくすことができ、ランニングコストを低減できる。
さらに、屋外配管や配管防寒室が不要となることにより、給湯装置１全体としての小型化がはかれるため、製造コストを低減でき、しかも設置作業が容易化され施工性が向上する。
【００１６】
また、給湯器本体２が断熱ケーシング３によって覆われて外気と遮断されるため、保温性が向上し、より一層凍結防止用ヒータ２９の容量及びランニングコストを低減できる。
また、一つの水抜栓２７を操作すると、給水管５と給湯管６の二つの経路の水抜きが同時に行えるため、使い勝手が良い。
【実施例２】
【００１７】
次に、実施例２の給湯装置２０１について図４〜図６を用いて説明する。尚、実施例１と異なる部分について説明し、重複する部分に関しては同一符号を付してその説明を省略する。
実施例２の給湯装置２０１では、給湯器本体２の本体ケース９より下方の断熱ケーシングをなくして断熱ケーシング２０３を小さく形成する、すなわち、断熱ケーシング２０３で給湯器２の上、左、右の三面を本体ケース９から所定間隔をあけて覆うとともに、本体ケース９の底面には、保温材３０を貼設する。
このような構成にすると、実施例１の給湯装置１に比べて防寒効果はわずかにおちるものの、断熱ケーシング２０３を小さく形成でき、材料費を抑制して製造コストを低減できる。このため、それほど大きな防寒効果を必要としない地域においては、コストを下げて防寒対策をとることが可能となる。
また、水抜栓２７が外部に露出するため、従来のように、水抜き作業を行う際にその前面を覆っている開閉扉を開ける必要がなく、水抜き作業の操作性がより一層向上する。
【実施例３】
【００１８】
次に、実施例３の給湯装置３０１について図７〜図９を用いて説明する。尚、実施例１と異なる部分について説明し、重複する部分に関しては同一符号を付してその説明を省略する。
実施例３の給湯装置３０１では、断熱ケーシング３を設けずに、給湯器本体２の背面と外壁２０との間に断熱材３１を挟み込んで、給湯器本体２から外壁２０への放熱を遮断して防寒する。また、給湯器本体２の底面は、水抜栓２７や電源コード（図示せず）やガス管３８が貫通するためどうしても隙間が生じ、給気の際に外部空気が吸引されるために最も冷えやすい箇所となるので、保温材３０を貼設する。
このように構成すると、実施例１や実施例２の給湯装置１、２０１と比べて防寒効果はおちるものの、断熱ケーシング３、２０３の材料費を抑制して、製造コストを大幅に低減できる。このため、それほど大きな防寒効果を必要としない地域においては、コストを下げて防寒対策をとることが可能となる。
従って、寒さの程度の激しい地域の順に、実施例１の給湯装置１、実施例２の給湯装置２０１、実施例３の給湯装置３０１と使い分けることによって、防寒効果とコストのバランスを良好に設定できるのである。
【００１９】
以上本発明の実施例について説明したが、本発明はこうした実施例に何等限定されるものではなく、本発明の要旨を逸脱しない範囲において、種々なる態様で実施し得ることは勿論である。
例えば、本実施例では、風呂の追焚き機能を備えない単純な給湯装置の場合についての例を示したが、これに限ったものではなく、追焚き機能のついた、いわゆる風呂付給湯装置に適用してもよい。この場合には、浴槽の湯を循環させる風呂往き管と風呂戻り管も本体ケース内で壁貫通配管部と接続するように構成すれば、凍結防止用ヒータのランニングコストを低減できる。
【産業上の利用可能性】
【００２０】
屋外設置式の給湯装置に適用可能である。
【図面の簡単な説明】
【００２１】
【図１】実施例１としての給湯装置の正面図である（フロントカバー無し）。
【図２】実施例１としての給湯装置の側面の断面図である。
【図３】実施例１としての給湯装置の正面図である（フロントカバー有り）。
【図４】実施例２としての給湯装置の正面図である（フロントカバー無し）。
【図５】実施例２としての給湯装置の側面の断面図である。
【図６】実施例２としての給湯装置の正面図である（フロントカバー有り）。
【図７】実施例３としての給湯装置の正面図である（フロントカバー無し）。
【図８】実施例３としての給湯装置の側面の断面図である。
【図９】実施例３としての給湯装置の正面図である（フロントカバー有り）。
【図１０】従来例としての給湯装置の正面図である（フロントカバー無し）。
【図１１】従来例としての給湯装置の側面の断面図である。
【図１２】従来例としての給湯装置の正面図である（フロントカバー有り）。
【符号の説明】
【００２２】
１、２０１、３０１  給湯装置
２  給湯器
３  断熱ケーシング
４  水管部分
７  給湯・給水配管
８  壁貫通配管部
９  本体ケース
１６  挿通孔
２０  外壁
３１  断熱材
【図１】
2005257096.tif 000003
【図２】
2005257096.tif 000004
【図３】
2005257096.tif 000005
【図４】
2005257096.tif 000006
【図５】
2005257096.tif 000007
【図６】
2005257096.tif 000008
【図７】
2005257096.tif 000009
【図８】
2005257096.tif 000010
【図９】
2005257096.tif 000011
【図１０】
2005257096.tif 000012
【図１１】
2005257096.tif 000013
【図１２】
2005257096.tif 000014